(57)【要約】【課題】本発明はモジュールと親基板との間の接続状態を容易に確認できるモジュールを提供することを目的とするものである。【解決手段】本発明は、この課題を解決するために配線基板１２の下面に装着された接続基板１７には、この接続基板１７の上面において、接続パッド１６に対向して配置され、接続パッド１６とはんだ１９で接続された接続パッド１８と、この接続パッド１８と接続されるとともに、接続基板１７の側面に形成された接続端子２０とを備え、接続基板１７の側面において接続端子２０の両側には、接続端子２０の不形成部２１を設け、この接続端子２０の端部２０ａは、配線基板１２の外周から内方側へ距離２２だけ離れた位置に配置され、接続端子２０とスパッタ金属膜１５とを電気的に非接続としたものである。これにより、接続基板１７の側面に接続端子２０を形成できる。【選択図】図１
2012195398.tif 000002
【特許請求の範囲】
【請求項１】
配線基板と、この配線基板の上面に装着された電子部品と、前記配線基板の上面に設けられるとともに、前記電子部品が埋設された樹脂部と、この樹脂部表面と前記配線基板の側面全体とを覆うスパッタ金属膜と、前記配線基板の下面に設けられるとともに、前記電子部品と接続された第１の接続パッドと、前記配線基板の下面に装着された接続基板とを有したモジュールにおいて、前記接続基板には、この接続基板の上面において、前記第１の接続パッドに対向して配置され、前記第１の接続パッドと導電性の接続部材で接続された第２の接続パッドと、この第２の接続パッドと接続されるとともに、前記接続基板の側面に形成された接続端子とを備え、前記接続基板の側面において前記接続端子の両側には、前記接続端子の不形成部を設け、この不形成部と前記接続端子との境界部は、前記配線基板の外周から内方側へあらかじめ定められた距離だけ離れた位置に配置され、前記接続端子と前記スパッタ金属膜とを電気的に非接続としたモジュール。
【請求項２】
前記接続基板の外周には略半円状の凹部を設け、前記接続端子は前記凹部の内周面に形成され、前記接続基板の外周側面は前記不形成部とし、前記接続基板の外周側面は、前記配線基板の外周から内方側へ、前記距離だけ離れて配置された請求項１に記載のモジュール。
【請求項３】
接続基板には、孔と、この孔の内周面に設けられたシールドスパッタ金属膜とが設けられた請求項２に記載のモジュール。
【請求項４】
前記接続基板の外周には略半円状の凹部を設け、前記接続端子は前記凹部の底部に形成されるとともに、前記凹部の内周面において前記接続端子が形成された両側に前記不形成部が設けられ、前記接続基板の外周側面には前記スパッタ金属膜が形成された請求項１に記載のモジュール。
【請求項５】
前記接続基板の外周には長円状の凹部と、この長円状の凹部の直線部に設けられた複数個の半円状の凹部とを設け、前記接続端子は前記半円状の凹部の内周面に形成されるとともに、前記直線部に前記不形成部が形成され、前記接続基板の外周側面には前記スパッタ金属膜が形成された請求項１に記載のモジュール。
【請求項６】
前記接続基板の外周側面は、前記配線基板および樹脂部の側面と同一平面に並んで設けられ、前記接続基板における前記凹部を除く外周側面には前記スパッタ金属膜が形成された請求項４または５に記載のモジュール。
【請求項７】
前記接続基板の外周側面は、前記配線基板および樹脂部の側面から外側方向へと突出して設けられ、この突出部における前記接続基板の上面と側面には前記スパッタ金属膜が形成された請求項４または５に記載のモジュール。
【請求項８】
複数枚の配線基板が第１の連結部で連結された大判配線基板の上面に電子部品を実装し、その後で前記電子部品を樹脂で埋設することによって、前記配線基板の上面側に樹脂部を形成し、その後で前記樹脂と前記第１の連結部とを切断して、前記配線基板の側面と同一平面上に前記樹脂部の側面を形成し、その後で前記樹脂部の表面全体と前記配線基板の側面全体とにスパッタによってスパッタ金属膜を形成する工程を備え、少なくとも前記樹脂部を形成する工程の後に、あらかじめ側面に接続端子が形成された接続基板を前記配線基板の下面側へ装着する工程を設け、この接続基板を装着する工程では、前記配線基板の外周端となる位置から内方側にあらかじめ定められた距離だけ離れた位置に前記接続端子を配置するモジュールの製造方法。
【請求項９】
接続基板を装着する工程は、樹脂と前記第１の連結部とを切断する工程の前に設けられた請求項８に記載のモジュールの製造方法。
【請求項１０】
複数枚の接続基板は第２の連結部で連結されており、接続基板を装着する工程では、前記接続基板が連結された状態で、前記接続基板を配線基板へ一括に装着し、樹脂と第１の連結部とを切断する工程では、第２の連結部を切断して、前記配線基板の側面と同一平面上に前記接続基板の切断面を形成し、前記スパッタ金属膜を形成する工程で前記切断面に前記スパッタ金属膜を形成する請求項９に記載のモジュールの製造方法。
【請求項１１】
複数枚の接続基板は第２の連結部で連結されており、接続基板を装着する工程は、樹脂と前記第１の連結部とを切断する工程の後に設けられて、前記第２の連結部で連結された状態の前記接続基板へ前記配線基板を装着し、この工程と前記スパッタ金属膜を形成する工程との間には、前記第２の連結部を切断する工程を有した請求項８に記載のモジュールの製造方法。
【請求項１２】
前記第２の連結部を切断する工程では、前記接続基板の外周が前記配線基板の外周より突出するように切断する請求項１１に記載のモジュールの製造方法。
【発明の詳細な説明】
【技術分野】
【０００１】
本発明は、電子部品が樹脂に埋設され、その樹脂の天面と側面とがシールドスパッタ金属膜で覆われたモジュールとその製造方法に関するものである。
【背景技術】
【０００２】
以下、従来のモジュールについて説明する。従来のモジュールにおいて、プリント基板の上面には配線パターンが形成され、下面にはモジュールを親基板へ装着するための接続端子が形成されている。なおプリント基板は多層基板であり、内層にはグランドパターンと信号パターンとが形成されている。そしてこのようなプリント基板の配線パターン上に電子部品が装着されることによって、プリント基板上に回路が形成される。ここで、接続端子はスルーホールを介して高周波回路へと接続されている。
【０００３】
樹脂部は、プリント基板上に電子部品を覆うように形成されている。ここで樹脂部の側面と、プリント基板の側面とは一直線（同一平面）となっている。そしてこの樹脂部の全周と、プリント基板の側面全体を覆うようにシールドスパッタ金属膜が形成される。このシールドスパッタ金属膜は、プリント基板の側面においてグランドパターンと接続されている。
【０００４】
なお、この出願の発明に関連する先行技術文献情報としては、例えば、特許文献１が知られている。
【先行技術文献】
【特許文献】
【０００５】
【特許文献１】特開２００９−２１８２５８号公報
【発明の概要】
【発明が解決しようとする課題】
【０００６】
このような従来のモジュールや外部回路で発生する高周波信号やノイズ信号などをシールドするために、樹脂部の全周とプリント基板の側面の全面とがシールドスパッタ金属膜によって覆われる構成を有していた。
【０００７】
しかしながら従来のモジュールでは、接続端子がプリント基板の下面に形成されるので、この高周波モジュールを親基板へはんだ付けした場合に、接続状態などを容易に検査できないという課題を有していた。
【０００８】
そこで本発明は、この問題を解決したもので、回路で発生する信号をシールドしつつ、モジュールと親基板との間の接続状態を容易に確認できるモジュールを提供することを目的としたものである。
【課題を解決するための手段】
【０００９】
この目的を達成するために、配線基板の下面に装着された接続基板には、この接続基板の上面において、前記第１の接続パッドに対向して配置され、前記第１の接続パッドと導電性の接続部材で接続された第２の接続パッドと、この第２の接続パッドと接続されるとともに、前記接続基板の側面に形成された接続端子とを備え、前記接続基板の側面において前記接続端子の両側には、前記接続端子の不形成部を設け、この不形成部と前記接続端子との境界部は、前記配線基板の外周から内方側へあらかじめ定められた距離だけ離れた位置に配置され、前記接続端子と前記スパッタ金属膜とを電気的に非接続としたものである。これにより所期の目的を達成することができる。
【発明の効果】
【００１０】
以上のように本発明によれば、接続基板の側面において前記接続端子の両側には、前記接続端子の不形成部を設け、この不形成部と前記接続端子との境界部は、前記配線基板の外周から内方側へあらかじめ定められた距離だけ離れた位置に配置されるので、樹脂部の表面や配線基板の側面へスパッタ金属膜を形成した場合でも、接続端子とスパッタ金属膜とを電気的に非接続とすることができる。これにより、接続端子は接続基板の側面に形成できることとなるので、モジュールと親基板との間の接続状態を容易に確認できるモジュールを実現できる。
【図面の簡単な説明】
【００１１】
【図１】（ａ）本実施の形態におけるモジュールの断面図、（ｂ）同、モジュールの側面図、（ｃ）同、モジュールの下面図
【図２】同、モジュールの製造フローチャート
【図３】（ａ）本実施の形態における第２の例のモジュールの断面図、（ｂ）本実施の形態における第２の例のモジュールの断面図
【図４】（ａ）第２の例のモジュールにおける接続基板を下面から見たときの要部拡大図、（ｂ）同モジュールにおける第２の例の接続基板を下面から見たときの要部拡大図
【発明を実施するための形態】
【００１２】
以下、本実施の形態におけるモジュールについて説明する。
【００１３】
（実施の形態１）
図１（ａ）は、本実施の形態におけるモジュールの断面図であり、図１（ｂ）は、同モジュールの側面図であり、図１（ｃ）は、同モジュールの下面図である。これら、図１（ａ）から図１（ｃ）を用いて、本実施の形態におけるモジュール１１を説明する。図１（ａ）から図１（ｃ）において、配線基板１２は両面に配線パターンが形成された多層基板である。本実施の形態では、厚みが０．６ｍｍの４層基板を用いている。そして、この配線基板１２の上面には、複数個の電子部品１３ａが装着されている。
【００１４】
樹脂部１４は、配線基板１２の上面に設けられており、この樹脂部１４内に電子部品１３ａが埋設されている。そして、スパッタ金属膜１５は樹脂部１４の表面と配線基板１２の側面全体とを覆うように形成されている。ここで、配線基板１２の内層にはグランドパターンを有し、グランドパターンが配線基板１２の外周縁にまで敷設されることで、配線基板１２の側面でグランドパターンとスパッタ金属膜１５とが接続される。
【００１５】
ここで、配線基板１２の下面には、複数の接続パッド１６が設けられている。これら接続パッド１６には、電子部品１３ａ（あるいは電子部品１３ｂ）などで構成された回路と接続されたものや、グランドパターンを介してスパッタ金属膜１５と電気的に接続されたものなどを含んでいる。
【００１６】
配線基板の下面には、接続基板１７が装着されている。さらに本実施の形態において、配線基板１２の下面側には電子部品１３ｂも装着されている。
【００１７】
次に接続基板１７について詳細に説明する。接続基板１７の上面には、接続パッド１８が設けられている。この接続パッド１８は、接続パッド１６に対向する位置に配置されている。そして、この接続パッド１６と接続パッド１８との間は、はんだ１９（導電性の接続部材の一例として用いた）によって接続されている。
【００１８】
さらに接続基板１７の外側の側面のそれぞれには、複数の接続端子２０が形成されている。これらの接続端子２０は接続パッド１８や電子部品１３ｂと接続され、配線基板１２の外周から内方側へ離れた位置に配置される。ここで接続基板１７の外形は四角形であり、接続基板１７は配線基板１２よりも小さくしている。そして、接続基板１７において接続端子２０が形成された側面には、接続端子２０の両側に接続端子２０の不形成部２１が設けられる。このとき不形成部２１は、配線基板１２の外周から内方側へ距離２２だけ離れた位置に設けられる。
【００１９】
本実施の形態において、接続端子２０は接続基板１７の外周端に形成された略半円状の凹部２３の内周面全体に形成されている。これにより接続端子２０の端部２０ａ（接続端子２０と不形成部２１との境界部）は、配線基板１２の外周から内方側へ距離２２だけ離れた位置に設けられることとなり、接続基板１７の側面に形成された接続端子２０とスパッタ金属膜１５とを電気的に非接続とできることとなる。したがって、接続端子２０を接続基板１７の側面に形成できることとなるので、モジュール１１と親基板との間の接続状態を容易に確認できる。
【００２０】
ここで、本実施の形態における接続基板１７の側面には、不形成部２１が設けられるので、この部分では電子部品１３ａ（あるいは電子部品１３ｂ）などで形成された回路で発生する信号が漏洩しやすくなる。そこで、本実施の形態において、接続基板１７の中央に孔１７ａを設け、電子部品１３ｂは孔１７ａ内に対応する位置に装着し、この孔１７ａの内周面にシールドスパッタ金属膜（図示せず）を形成する。これにより、電子部品１３ｂは接続基板１７によって囲まれる位置に装着されることになる。つまり、電子部品１３ｂがシールドスパッタ金属膜によって囲まれることとなる。これによって、電子部品１３ｂによって配線基板１２の下側に形成された回路をシールドできる。
【００２１】
なおこのときシールドスパッタ金属膜を、スパッタ金属膜１５と接続された接続パッド１６（スパッタ金属膜１５と接続された接続端子２０）と接続しておくと良い。これによって、接続端子２０の個数を減らすことができる。
【００２２】
図２は、本実施の形態におけるモジュールの製造フローチャートである。なお、図２において図１（ａ）から図１（ｃ）と同じものには、同じ符号を用いており、その説明は簡略化している。図２において、大判配線基板５１は、複数枚の配線基板１２が連結部（図示せず）で連結されたものである。実装工程５２では、大判配線基板５１の上面（配線基板１２の上面と同じ）に電子部品１３ａを実装する。樹脂部形成工程５３は、実装工程５２の後で、電子部品１３ａを樹脂１４で埋設することによって、配線基板１２の上面側のみに樹脂部１４を形成する。本実施の形態では、圧縮成型によって樹脂部１４を形成しているが、これは他のトランスファ成型や真空印刷によって形成しても良い。
【００２３】
実装工程５４では、樹脂部形成工程５３の後で、接続基板１７を配線基板１２の下面側へ装着する。ここで配線基板１２には、あらかじめ接続パッド１８や接続端子２０が形成されている。なお、本実施の形態における実装工程５４では、配線基板１２の下面に電子部品１３ｂも実装している。したがって、接続基板１７と電子部品１３ｂとを同時に実装できるので、非常に生産性が良好である。
【００２４】
このように実装工程５４は、樹脂部形成工程５３の後で行われるので、実装工程５４では配線基板１２上に樹脂部１４が形成された状態で実装されることとなる。これにより、大判配線基板５１のそりも小さくでき、実装工程５４における実装面の平坦度を大きくできる。したがって、精度よく電子部品１３ｂや接続基板１７を配線基板１２に装着できる。また樹脂部１４によって実装工程５４での剛性が大きくなるので、厚みの薄い配線基板１２を用いることができる。
【００２５】
特に本実施の形態では、樹脂部１４を圧縮成型によって形成するので、非常にそりが小さく、平坦度が良好である。発明者らの実験によれば、樹脂部形成工程５３完了後での配線基板１２の平坦度は、約５０マイクロメートル以下で実現できている。これは、圧縮成型では、配線基板１２の外縁部が金型で把持された状態で成型され、さらに樹脂１４は圧縮された状態で硬化されるので、非常にそりが小さく、平坦度も良好となる。
【００２６】
切断工程５５は、実装工程５４の後で、樹脂部１４と大判配線基板５１における配線基板１２の連結部とを切断する。これにより、配線基板１２の側面と同一平面上に樹脂部１４の側面が形成される。そしてこのとき接続端子２０が配線基板１２の外周端となる位置から内方側に距離２２だけ離れた位置に形成されるように、大判配線基板５１を切断する。つまり実装工程５４では、切断工程５５で形成される配線基板１２の外周端となる位置から内方側に距離２２だけ離れた位置に接続端子２０が配置されるように、接続基板１７が配線基板１２へ装着される。本実施の形態において、距離２２は約０．３ｍｍとしている。
【００２７】
スパッタリング工程５６は、切断工程５５の後で、樹脂部１４の表面全体と配線基板１２の側面全体とにスパッタ金属膜１５を形成する工程である。ここでスパッタリング工程５６では、樹脂部１４側が上側となる方向でスパッタリング装置中に搭載される。これによって、樹脂部１４の上面と側面全周と配線基板１２の側面全周とにスパッタ金属膜１５が形成される。
【００２８】
以上のようにすることによって、接続端子２０は配線基板１２の外周端から内方側へ距離２２（０．３ｍｍ）だけ離れた位置に形成されることとなる。つまり、接続基板１７の側面は配線基板１２の下に隠れているので、スパッタリング工程５６では、接続端子２０や不形成部２１にスパッタ金属膜１５は形成されない。これによって、接続端子２０同士や、接続端子２０とスパッタ金属膜１５との間が短絡せず、電気的に非接続とすることができる。したがって、接続端子２０を接続基板１７の側面に形成できることとなるので、モジュール１１と親基板との間の接続状態を容易に確認できる。
【００２９】
また、スパッタ金属膜１５によって、配線基板１２の下面側を除き全体がシールドできるので、配線基板１２に形成された回路をしっかりとシールドできる。
【００３０】
なお、本実施の形態において実装工程５４は、樹脂部形成工程５３と切断工程５５との間に設けたが、これは切断工程５５とスパッタリング工程５６の間で行っても良い。もちろんこの場合も、スパッタリング工程５６において、スパッタ金属膜１５が接続基板１７側面に形成されないように、配線基板１２の外周端から内方側に距離２２だけ離れた位置に接続端子２０を配置しておくことが必要である。
【００３１】
図３（ａ）は、本実施の形態における第２の例のモジュールの断面図であり、図４（ａ）は、同モジュールの接続基板を下面から見たときの要部拡大図である。これら図３（ａ）、図４（ａ）において、図１（ａ）から図１（ｃ）と同じものには、同じ符号を用いており、本例においてその説明は簡略化している。
【００３２】
本例におけるモジュール１１は、第１の例に対し、接続基板１７の側面と配線基板１２（さらには樹脂部１４）の側面とが同一平面上に並んで形成されており、接続基板１７の外周側面にもスパッタ金属膜１５が形成されている点が異なる。
【００３３】
そのために、本例における接続端子２０は、接続基板１７の外周部に設けられた略半円状の凹部２３の底部に設けられ、この凹部２３の内周面において、接続端子２０と接続基板１７の外周との間に不形成部２１が形成される。そしてこの場合、接続端子２０の端部２０ａ（接続端子２０と不形成部２１との境界部）は、接続基板１７の外周から、内方側へ距離２２だけ離れた位置に設ける。これによって、配線基板１２の外周と接続端子２０との間は、距離２２だけ離れることとなる。したがって、接続端子２０同士や、接続端子２０とスパッタ金属膜１５との間が短絡せず、電気的に非接続とすることができるので、接続端子２０を接続基板１７の側面に形成できることとなり、モジュール１１と親基板との間の接続状態を容易に確認できる。
【００３４】
図４（ｂ）は、第２の例のモジュールにおける第２の例の接続基板を下面から見たときの要部拡大図である。第２の例の接続基板１７における凹部２４は、長円状であり、この長円状の凹部の直線部（底部）に複数の半円状の凹部２３がさらに設けられている。そして、それぞれの接続端子２０は、半円状の凹部２３の内周全体に形成される。この場合、長円状の凹部２４の直線部が不形成部２１となっている。そしてこの場合、長円状の凹部２４の直線部は、接続基板１７の外周から、内方側へ距離２２だけ離れた位置に設ける。これにより、接続端子２０の端部２０ａ（接続端子２０と不形成部２１との境界部）は、接続基板１７の外周から、内方側へ距離２２だけ離れた位置となる。つまり、配線基板１２の外周と接続端子２０との間は、距離２２だけ離れることとなる。したがって、接続端子２０同士や、接続端子２０とスパッタ金属との間が短絡せず、電気的に非接続とすることができるので、接続端子２０を接続基板１７の側面に形成できることとなり、モジュール１１と親基板との間の接続状態を容易に確認できる。
【００３５】
次にこの例のモジュール１１の製造方法について説明する。本例における実装工程５４では、複数枚の接続基板１７が連結部で連結された状態で、大判配線基板５１の下面側へ装着される。そして、切断工程５５では、樹脂部１４、配線基板１２の連結部を切断するとともに、接続基板１７の連結部も同時に切断する。これにより、配線基板１２および樹脂部１４の側面と、接続基板１７の外周側面とが同一平面上に並んで形成されることとなる。
【００３６】
このように、配線基板１２および樹脂部１４の側面と、接続基板１７の外周側面とが同一平面上に並んで形成されるので、そしてスパッタリング工程５６でスパッタリングを行うと、接続基板１７の外周側面にもスパッタ金属膜１５が形成されることとなる。
【００３７】
以上のようにすることによって、接続端子２０は配線基板１２の外周端から内方側へ距離２２だけ離れた位置に形成される。つまり接続端子２０や不形成部２１は、配線基板１２の下に隠れることとなるので、スパッタリング工程５６では、接続端子２０や不形成部２１にスパッタ金属膜１５は形成されない。これによって、接続端子２０同士や、接続端子２０とスパッタ金属膜１５との間が短絡せず、電気的に非接続とすることができる。したがって、接続端子２０を接続基板１７の側面に形成できることとなるので、モジュール１１と親基板との間の接続状態を容易に確認できる。
【００３８】
また、スパッタ金属膜１５によって、凹部２３（あるいは凹部２４）を除く接続基板１７の側面がシールドできるので、配線基板１２に形成された回路をしっかりとシールドできる。
【００３９】
なお、このとき配線基板１２の下面における外周端部には、配線基板１２の側面に形成されたスパッタ金属膜１５と接続された接続パッド１６を設けておく。一方接続基板１７の上面において、凹部２３（あるいは凹部２４）を除く外周端部には、接続基板１７の側面に形成されたスパッタ金属膜１５と接続された接続パッド１８を形成する。そして、これらの接続パッド１６と接続パッド１８とをはんだ１９によって接続すれば、さらにしっかりと回路をシールドすることができる。
【００４０】
図３（ｂ）は、本実施の形態における第２の例のモジュールの断面図である。この図３（ｂ）において、図１（ａ）から図１（ｃ）や図３（ａ）と同じものには、同じ符号を用いており、本例においてその説明は簡略化している。
【００４１】
本例におけるモジュール１１は、第２の例のモジュール１１に対し、凹部２３の底部（第２の例の接続基板１７の場合、凹部２３と凹部２４の直線部）を除く接続基板１７の外周側面が、配線基板１２（さらには樹脂部１４）の側面より突出して形成されており、この突出部において、接続基板１７の外周側面と上面にもスパッタ金属膜１５が形成されている点が異なる。なお、本例においては、図４（ａ）、図４（ｂ）に示したいずれの形の凹部（接続端子２０）を用いてもかまわない。
【００４２】
そして本例の場合も、接続端子２０の端部２０ａ（接続端子２０と不形成部２１との境界部）は、接続基板１７の外周から、内方側へ距離２２だけ離れた位置に設ける。これによって、配線基板１２の外周と接続端子２０との間は、距離２２だけ離れることとなる。したがって、接続端子２０同士や、接続端子２０とスパッタ金属膜１５との間が短絡せず、電気的に非接続とすることができるので、接続端子２０を接続基板１７の側面に形成できることとなり、モジュール１１と親基板との間の接続状態を容易に確認できる。
【００４３】
次にこの例のモジュール１１の製造方法について説明する。本例のモジュール１１の製造方法では、実装工程５４と切断工程５５との順序が入れ替わる。つまり、実装工程５４では大判配線基板５１から分離された配線基板１２を、接続基板１７へはんだ１９で装着する。ただし、この工程において複数枚の接続基板１７は連結部で連結された状態としておく。このように、複数の配線基板１２が連結されているので、生産性が良好となる。なおこの例の場合電子部品１３ｂは、樹脂部形成工程５３と切断工程５５との間で実装しているが、電子部品１３ｂは実装工程５４で実装することもできる。
【００４４】
そして実装工程５４とスパッタリング工程５６との間に、接続基板１７の連結部を切断する工程を設ける。この工程では、接続基板１７の外周が、配線基板１２や樹脂部１４の側面から突出するように、連結部を切断する。本実施の形態では、回転するダイシング刃によって切断を行っている。
【００４５】
このように接続基板１７の外周が、配線基板１２や樹脂部１４の側面から突出するので、そしてスパッタリング工程５６でスパッタリングを行うと、突出部における接続基板１７の外周側面や上面にもスパッタ金属膜１５が形成されることとなる。
【００４６】
そして本例では第１の例と同じく、接続端子２０は配線基板１２の外周端から内方側へ距離２２だけ離れた位置に形成される。つまり接続端子２０や不形成部２１は、配線基板１２の下に隠れることとなるので、スパッタリング工程５６では、接続端子２０や不形成部２１にスパッタ金属膜１５は形成されない。これによって、接続端子２０同士や、接続端子２０とスパッタ金属膜１５との間が短絡せず、電気的に非接続とすることができる。したがって、接続端子２０を接続基板１７の側面に形成できることとなるので、モジュール１１と親基板との間の接続状態を容易に確認できる。
【００４７】
また、スパッタ金属膜１５によって、接続基板１７の突出部がシールドできるので、配線基板１２に形成された回路をしっかりとシールドできる。
【産業上の利用可能性】
【００４８】
本発明にかかるモジュールは、モジュールと親基板との間の接続状態を容易に確認できるという効果を有し、特に車載用のモジュール等に用いると有用である。
【符号の説明】
【００４９】
１２  配線基板
１３ａ  電子部品
１４  樹脂部
１５  スパッタ金属膜
１６  接続パッド
１７  接続基板
１８  接続パッド
１９  はんだ
２０  接続端子
２０ａ  端部
２１  不形成部
２２  距離
【図１】
2012195398.tif 000003
【図２】
2012195398.tif 000004
【図３】
2012195398.tif 000005
【図４】
2012195398.tif 000006